(57)【要約】【課題】  波長光を検出する際に分解能を確保することができる光伝送システム、光伝送装置の検査方法、および光伝送装置の検査プログラムを提供する。【解決手段】  光伝送システムは、少なくとも１つ以上異なる波長を出力する複数の光送信器と、前記複数の光送信器が出力する波長光を合波して出力する合波器と、を備える光伝送装置と、検出対象の波長を掃引することによって、前記合波器に入力される前に分岐された各波長光を検出する検出部と、を備え、前記検出部は、一度の掃引において、前記合波器の出力光の波長間隔よりも広い波長間隔で２以上の波長光を選択して検出する。【選択図】  図１
2014078915.tif 000002
【特許請求の範囲】
【請求項１】
少なくとも１つ以上異なる波長を出力する複数の光送信器と、前記複数の光送信器が出力する波長光を合波して出力する合波器と、を備える光伝送装置と、
検出対象の波長を掃引することによって、前記合波器に入力される前に分岐された各波長光を検出する検出部と、を備え、
前記検出部は、一度の掃引において、前記合波器の出力光の波長間隔よりも広い波長間隔で２以上の波長光を選択して検出することを特徴とする光伝送システム。
【請求項２】
前記検出部は、
前記合波器に入力される前に分岐された各波長光を、波長光単位で切り替えて出力するスイッチと、
前記スイッチの切り替えと同期して透過波長を変化させることによって、前記スイッチが出力する各波長光を透過する波長可変フィルタと、
前記波長可変フィルタを透過した各波長光の光強度を検出する受光素子と、を備えることを特徴とする請求項１記載の光伝送システム。
【請求項３】
前記検出部は、前記掃引の際に選択された波長光の光強度がしきい値以下であった場合に、前記スイッチに当該波長光の選択を維持させたまま、検出対象の波長を再度掃引することを特徴とする請求項２記載の光伝送システム。
【請求項４】
前記検出部の検出結果に応じて、前記光送信器の出力波長を補正する補正部をさらに備えることを特徴とする請求項１〜３のいずれか一項に記載の光伝送システム。
【請求項５】
少なくとも１つ以上異なる波長を出力する複数の光送信器と、前記複数の光送信器が出力する波長光を合波して出力する合波器と、を備える光伝送装置において、
検出対象の波長を掃引することによって、前記合波器に入力される前に分岐された各波長光を検出する検出ステップを含み、
前記検出ステップにおいて、一度の掃引において、前記合波器の出力光の波長間隔よりも広い波長間隔で２以上の波長光を選択して検出することを特徴とする光伝送装置の検査方法。
【請求項６】
少なくとも１つ以上異なる波長を出力する複数の光送信器と、前記複数の光送信器が出力する波長光を合波して波長多重光を出力する合波器と、を備える光伝送装置に対し、
コンピュータに、検出対象の波長を掃引することによって、前記合波器に入力される前に分岐された各波長光を検出する検出ステップを実行させ、
前記検出ステップにおいて、一度の掃引において、前記合波器の出力光の波長間隔よりも広い波長間隔で２以上の波長光を選択して検出させることを特徴とする光伝送装置の検査プログラム。
【発明の詳細な説明】
【技術分野】
【０００１】
本件は、光伝送システム、光伝送装置の検査方法、および光伝送装置の検査プログラムに関する。
【背景技術】
【０００２】
特許文献１は、波長多重（ＷＤＭ：Wavelength Division Multiplexing）光を波長可変フィルタに透過させることによって得られる各信号波長をＯＣＭ（Optical Channel Monitor）でモニタする技術を開示している。
【先行技術文献】
【特許文献】
【０００３】
【特許文献１】特開２００８−８４９２３号公報
【発明の概要】
【発明が解決しようとする課題】
【０００４】
しかしながら、従来のＯＣＭは、直交周波数分割多重（ＯＦＤＭ：Orthogonal Frequency Division Multiplexing）技術、Ｎｙｑｕｉｓｔ−ＷＤＭ技術等を用いた波長多重光に対して、フィルタ幅との関係で十分な分解能を発揮することが困難である。
【０００５】
本件は上記課題に鑑みなされたものであり、波長光を検出する際に分解能を確保することができる光伝送システム、光伝送装置の検査方法、および光伝送装置の検査プログラムを提供することを目的とする。
【課題を解決するための手段】
【０００６】
明細書開示の光伝送システムは、少なくとも１つ以上異なる波長を出力する複数の光送信器と、前記複数の光送信器が出力する波長光を合波して出力する合波器と、を備える光伝送装置と、検出対象の波長を掃引することによって、前記合波器に入力される前に分岐された各波長光を検出する検出部と、を備え、前記検出部は、一度の掃引において、前記合波器の出力光の波長間隔よりも広い波長間隔で２以上の波長光を選択して検出する。
【０００７】
明細書開示の光伝送装置の検査方法は、少なくとも１つ以上異なる波長を出力する複数の光送信器と、前記複数の光送信器が出力する波長光を合波して波長多重光を出力する合波器と、を備える光伝送装置において、検出対象の波長を掃引することによって、前記合波器に入力される前に分岐された各波長光を検出する検出ステップを含み、前記検出ステップにおいて、一度の掃引において、前記合波器の出力光の波長間隔よりも広い波長間隔で２以上の波長光を選択して検出する。
【０００８】
明細書開示の光伝送装置の検査プログラムは、少なくとも１つ以上異なる波長を出力する複数の光送信器と、前記複数の光送信器が出力する波長光を合波して出力する合波器と、を備える光伝送装置に対し、コンピュータに、検出対象の波長を掃引することによって、前記合波器に入力される前に分岐された各波長光を検出する検出ステップを実行させ、前記検出ステップにおいて、一度の掃引において、前記合波器の出力光の波長間隔よりも広い波長間隔で２以上の波長光を選択して検出させる。
【発明の効果】
【０００９】
明細書開示の光伝送システム、光伝送装置の検査方法、および光伝送装置の検査プログラムによれば、波長光を検出する際に分解能を確保することができる。
【図面の簡単な説明】
【００１０】
【図１】実施例１に係る光伝送装置の要部ブロック図である。
【図２】（ａ）は一般的なＷＤＭ伝送装置を説明するための図であり、（ｂ）はフィルタ掃引によって得られるモニタ信号について説明するための図であり、（ｃ）はＮｙｑｕｉｓｔ−ＷＤＭ技術を用いることによって得られるサブチャネル信号に対するフィルタ掃引について説明するための図であり、（ｄ）はＯＦＤＭ技術を用いることによって得られるサブチャネル信号に対するフィルタ掃引について説明するための図である。
【図３】（ａ）はスイッチのポート番号と各チャネルとの関係を説明するための対応表であり、（ｂ）および（ｃ）はフィルタ掃引について説明するための図であり、（ｄ）は各波長光の波長検出の具体例について説明するための図である。
【図４】光モニタ制御装置の動作の一例を説明するためのフローチャートである。
【図５】シーケンスの算出の一例を説明するためのフローチャートである。
【図６】（ａ）はポート２に波長光を出力する光源から誤って波長λ１の波長光が出力されている例を表す図であり、（ｂ）はフィルタ掃引について説明するための図である。
【図７】光モニタ制御装置の動作を表すフローチャートの他の例である。
【図８】光モニタ制御装置のハードウェア構成を説明するためのブロック図である。
【図９】光伝送システムの他の例を説明するための要部ブロック図である。
【図１０】光伝送システムの他の例を説明するための要部ブロック図である。
【図１１】（ａ）はマルチキャストスイッチの詳細を説明するためのブロック図であり、（ｂ）はスイッチのポート番号と各チャネルとの関係を説明するための対応表である。
【発明を実施するための形態】
【００１１】
以下、図面を参照しつつ、実施例について説明する。
【実施例１】
【００１２】
図１は、実施例１に係る光伝送システム１００の要部ブロック図である。光伝送システム１００は、Ｎチャネルの波長光を合波して伝送する。図１を参照して、光伝送システム１００は、光源１０、光変調器２０、合波器３０、送信信号制御装置４０、スイッチ５０、波長可変フィルタ６０、受光素子７０、光モニタ制御装置８０、および光伝送システム制御装置９０を備える。
【００１３】
光伝送システム１００においては、各チャネルに対応して、光源１０および光変調器２０が備わっている。すなわち、光伝送システム１００には、Ｎ個の光源１０および光変調器２０が備わっている。光源１０および光変調器２０は、光送信器として機能する。光源１０は、半導体レーザなどの単一波長の波長光を出力する装置であり、チャネルに応じて異なる波長光を出力する。光変調器２０は、光源１０が出力する波長光を変調して変調光を出力する装置である。合波器３０は、各光変調器２０が出力する変調光を合波し、得られる波長多重光を受信器に対して伝送する。光源１０、光変調器２０および合波器３０は、光伝送装置として機能する。
【００１４】
送信信号制御装置４０は、各光源１０から送信される光信号を制御する装置である。例えば、送信信号制御装置４０は、各光源１０のオン・オフを制御する。また、送信信号制御装置４０は、各光源１０から送信される光信号の波長、光強度などを制御する。
【００１５】
光変調器２０から合波器３０に入力される変調光の一部は、分岐されてスイッチ５０に入力される。変調光の分岐には、ビームスプリッタなどを用いることができる。スイッチ５０は、Ｎ対１で切替可能なスイッチであり、Ｎチャネルからいずれかのチャネルを選択し、当該チャネルの変調光を波長可変フィルタ６０に入力する。すなわち、スイッチ５０は、波長光単位で切り替えて波長光を波長可変フィルタ６０に入力する。スイッチ５０は、光モニタ制御装置８０の指示にしたがって、チャネルを切り替える。
【００１６】
波長可変フィルタ６０は、入力される電気信号に応じて透過波長が変化する波長フィルタであり、合波器３０に入力される前に分岐された各波長光を選択的に透過する帯域幅を有する。波長可変フィルタ６０は、光モニタ制御装置８０の指示に従って、透過波長を変化させる。受光素子７０は、波長可変フィルタ６０を透過した光の光強度を電気信号に変換して光モニタ制御装置８０に入力する。
【００１７】
光モニタ制御装置８０は、各チャネルの波長光の波長特性を検出する装置である。光伝送システム制御装置９０は、光伝送システム１００の全体制御を行う装置である。例えば、光モニタ制御装置８０は、各チャネルの波長光の波長を検出することによって、光伝送システム制御装置９０から通知された所望の波長が出力されているか検査する。また、光モニタ制御装置８０は、各チャネルの波長光の光強度を検出することによって、光伝送システム制御装置９０から通知された所望の光強度が得られているか検査する。
【００１８】
光モニタ制御装置８０は、スイッチ５０の切替を制御し、波長可変フィルタ６０の透過波長を制御し、受光素子７０から電気信号を受け取ることによって、各チャネルの波長光を検出する。具体的には、光モニタ制御装置８０は、所定のチャネルの変調光が波長可変フィルタ６０に入力されるようにスイッチ５０を制御し、スイッチ５０の切り替えと同期して波長可変フィルタ６０の透過波長を当該チャネルの波長に制御し、受光素子７０から電気信号を受け取る。それにより、当該所定のチャネルの波長光を個別に検出することができる。光モニタ制御装置８０は、例えば、各チャネルの波長範囲をカバーするように、短波長側から長波長側にかけてまたは長波長側から短波長側にかけて順に検出対称の波長を掃引することによって、各チャネルの波長光を個別に検出する（フィルタ掃引）。本実施例においては、スイッチ５０、波長可変フィルタ６０、受光素子７０および光モニタ制御装置８０が、合波器３０に入力される前に分岐された各波長光を検出する検出部（ＯＣＭ：Optical Channel Monitor）として機能する。
【００１９】
ここで、フィルタ掃引の詳細について説明する。図２（ａ）は、一般的なＷＤＭ伝送装置２００を説明するための図である。光送信器２０１は、光源および光変調器である。合波器２０２は、各光送信器２０１が出力する変調光を合波する。ＯＣＭ２０３は、波長可変フィルタ、受光素子、およびモニタ装置である。
【００２０】
図２（ｂ）は、フィルタ掃引によって得られるモニタ信号について説明するための図である。図２（ｂ）において、横軸は波長を表し、縦軸は光強度を表す。図２（ｂ）を参照して、ＯＣＭ２０３において波長可変フィルタの透過波長を短波長側から長波長側にかけて、または長波長側から短波長側にかけて掃引することによって、各波長光のスペクトルをモニタ信号として検出することができる。
【００２１】
ＯＣＭ２０３には波長分解能に限界があるため、受光素子を用いて検出されるモニタ信号のスペクトル幅が実信号のスペクトル幅よりも大きくなる傾向にある。ただし、一般的なＷＤＭでは、各波長光の波長間隔が大きく設定されている。それにより、各波長光に対して検出されるモニタ信号のスペクトル同士の重複が抑制される。したがって、高い精度で各波長光を検出することができる。
【００２２】
図２（ｃ）は、Ｎｙｑｕｉｓｔ−ＷＤＭ技術を用いることによって得られるサブチャネル信号（波長光）に対するフィルタ掃引について説明するための図である。図２（ｃ）において、横軸は波長を表し、縦軸は光強度を表す。図２（ｃ）を参照して、Ｎｙｑｕｉｓｔ−ＷＤＭ技術では、各波長光の波長間隔が狭くなっている。隣接チャネル同士でクロストークが発生すると、複数の波長光に対して１つのスペクトルがモニタ信号として検出される。この場合、モニタ信号のスペクトル幅が大きくなってしまう。それにより、各波長光の波長（例えば中心波長）の検出精度が低下する。すなわち、各波長光の波長特性を精度良く検出することが困難となる。
【００２３】
図２（ｄ）は、ＯＦＤＭ技術を用いることによって得られるサブチャネル信号（波長光）に対するフィルタ掃引について説明するための図である。図２（ｄ）において、横軸は波長を表し、縦軸は光強度を表す。図２（ｄ）を参照して、ＯＦＤＭ技術においても、各波長光の波長間隔が狭くなっているうえに、実信号の各スペクトル同士が部分的に重複している。隣接チャネル同士でクロストークが発生すると、複数の波長光に対して１つのスペクトルがモニタ信号として検出される。この場合、モニタ信号のスペクトル幅が大きくなってしまう。それにより、各波長光の波長（例えば中心波長）の検出精度が低下する。すなわち、各波長光の波長特性を精度良く検出することが困難となる。
【００２４】
これらに対して、本実施例に係る光伝送システム１００は、一度のフィルタ掃引において、合波器３０で得られる波長多重光の波長間隔よりも広い波長間隔で各チャネルの波長光を検出対象とすることによって、分解能を確保する。以下、詳細について説明する。
【００２５】
図３（ａ）は、スイッチ５０のポート番号と、各チャネルとの関係を説明するための対応表である。図３（ａ）の例では、スイッチ５０のポート番号と、各ポートに入力される波長光の波長との関係が表されている。説明の簡略化のため、ポート番号１〜５と波長λ１〜λ５との関係について説明する。波長λ１〜λ５は、互いに隣接するチャネルに対応し、番号順に波長が長くなっている。
【００２６】
光モニタ制御装置８０は、１回目のフィルタ掃引において、波長多重光の波長間隔よりも広い波長間隔で少なくとも２以上のチャネルを選択する。言い換えれば、光モニタ制御装置８０は、選択された波長同士が隣接しないように２以上のチャネルを選択する。例えば、光モニタ制御装置８０は、波長λ１、波長λ３、波長λ５を選択する。光モニタ制御装置８０は、選択したチャネルに対応するポート番号を１回目のシーケンスに割り当てる。ここでのシーケンスは、スイッチ５０の切替順序および切替時間に対応する。次に、光モニタ制御装置８０は、２回目のフィルタ掃引において、波長多重光の波長間隔よりも広い間隔で少なくとも２以上のチャネルを選択する。例えば、光モニタ制御装置８０は、波長λ２、波長λ４を選択する。光モニタ制御装置８０は、選択したチャネルに対応するポート番号を２回目のシーケンスに割り当てる。以下同様に、光モニタ制御装置８０は、全てのチャネルの選択が終了するまで、３回目以降の掃引に対応させてチャネルを選択し、選択したチャネルに対応するポート番号をシーケンスに割り当てる。
【００２７】
次に、光モニタ制御装置８０は、得られたシーケンスに従って、スイッチ５０を制御する。具体的には、図３（ｂ）を参照して、１回目のフィルタ掃引の際には、波長可変フィルタ６０の透過波長が波長λ１の場合にポート１をスイッチ５０に選択させ、波長可変フィルタ６０の透過波長が波長λ３の場合にポート２をスイッチ５０に選択させ、波長可変フィルタ６０の透過波長が波長λ５の場合にポート３をスイッチ５０に選択させる。それにより、１回目の掃引の際に、波長λ１，λ３，λ５の波長光を検出することができる。
【００２８】
次に、図３（ｃ）を参照して、２回目のフィルタ掃引の際には、波長可変フィルタ６０の透過波長がλ２の場合にポート５をスイッチ５０に選択させ、波長可変フィルタ６０の透過波長がλ４の場合にポート４をスイッチ５０に選択させる。それにより、２回目の掃引の際に、波長λ２，λ４の波長光を検出することができる。このように、波長λ１〜λ５の波長光を一度の掃引で検出する場合と比較して、検出される波長光の波長間隔が広くなる。それにより、各波長光を検出する際の分解能を確保することができる。
【００２９】
図３（ｄ）は、各波長光の波長検出の具体例について説明するための図である。図３（ｄ）を参照して、光モニタ制御装置８０は、２次関数フィッティング等を用いて、検出された光強度の最大レベル値およびその前後の２点を用いることによって、波長光のピークレベルを算出する。次に、光モニタ制御装置８０は、算出されたピークレベルよりも所定値（図３（ｄ）ではＸｄＢ）下がったレベルにおける長波長側の波長（図３（ｄ）ではλ２）および短波長側の波長（図３（ｄ）ではλ１）を取得する。光モニタ制御装置８０は、波長λ１と波長λ２との中心波長λｃ＝０．５（λ１＋λ２）を算出する。光モニタ制御装置８０は、中心波長λｃを、波長光の波長として検出する。なお、波長検出は、図３（ｄ）の例に限定されない。例えば、最大レベル値の波長を波長光の波長として検出してもよい。
【００３０】
光モニタ制御装置８０は、検出された波長が、光伝送システム制御装置９０から通知される波長との間で差異がある場合には、当該チャネルの光源１０の出力波長の補正を送信信号制御装置４０に指示する。また、光モニタ制御装置８０は、検出された波長における光強度が光伝送システム制御装置９０から通知される光強度との間で差異がある場合には、当該チャネルの光源１０の出力光強度の補正を送信信号制御装置４０に指示する。光モニタ制御装置８０は、他のパラメータの補正を指示してもよい。このように、光モニタ制御装置８０および送信信号制御装置４０は、補正部として機能する。
【００３１】
図４は、光モニタ制御装置８０の動作の一例を説明するためのフローチャートである。図４を参照して、光モニタ制御装置８０は、光伝送システム制御装置９０から各チャネルの出力波長の情報を受け取る（ステップＳ１）。次に、光モニタ制御装置８０は、スイッチ切替のためのシーケンスを算出する（ステップＳ２）。光モニタ制御装置８０は、一例として、図５のフローチャートに従ってシーケンスを算出する。
【００３２】
図５を参照して、光モニタ制御装置８０は、各チャネルの波長光の波長と、スイッチ５０のポート番号との対応表を作成する（ステップＳ１１）。次に、光モニタ制御装置８０は、波長光の検出に必要な最小波長間隔Δλを決定する（ステップＳ１２）。最小波長間隔Δλは、波長可変フィルタ６０の帯域幅、各波長光のスペクトル幅などに応じて決定される。
【００３３】
次に、光モニタ制御装置８０は、短波長側から（または長波長側から）波長間隔がΔλ以上になるように、２以上のチャネルを選択し、シーケンスに割り当てる（ステップＳ１３）。次に、光モニタ制御装置８０は、割り当てた波長およびポート番号を対応表から削除する（ステップＳ１４）。次に、光モニタ制御装置８０は、未割り当ての波長があるか否かを判定する（ステップＳ１５）。ステップＳ１５で「Ｙｅｓ」と判定された場合、ステップＳ１３から再度実行される。ステップＳ１５で「Ｎｏ」と判定された場合、図５のフローチャートが終了する。
【００３４】
再度図４に戻り、図５のフローチャートの終了後、光モニタ制御装置８０は、シーケンスの初期値を設定する（ステップＳ３）。次に、光モニタ制御装置８０は、フィルタ掃引と同期して、初期値に設定されたシーケンスを実施し、検出された各波長光の中心波長を測定する（ステップＳ４）。次に、光モニタ制御装置８０は、測定された中心波長と、光伝送システム制御装置９０から受け取った波長との差分がしきい値以上であるか否かを判定する（ステップＳ５）。ステップＳ５において「Ｙｅｓ」と判定された場合、光モニタ制御装置８０は、次のシーケンスを設定する（ステップＳ６）。その後、ステップＳ４から再度実行される。ステップＳ５において「Ｎｏ」と判定された場合、送信信号制御装置４０は、ステップＳ５でしきい値以上と判定されたチャネルの光源１０の中心波長を、光伝送システム制御装置９０から受け取った波長になるように補正する（ステップＳ７）。その後、ステップＳ４から再度実行される。図４のフローチャートは、全てのシーケンスが実行されると終了する。
【００３５】
本実施例によれば、一度のフィルタ掃引において、合波器３０で得られる波長多重光の波長間隔よりも広い波長間隔で、波長光を選択して検出することができる。それにより、光モニタ制御装置８０の、波長光に対する分解能を確保することができる。その結果、高い精度で各波長光を検出することができる。なお、一度のフィルタ掃引において、一つの波長光のみを検出することも考えられる。しかしながら、この場合、Ｎチャネルの光伝送装置においてはフィルタ掃引をＮ回行う必要がある。これに対して、本実施例においては、一度のフィルタ掃引において少なくとも２以上のチャネルの波長光を検出対象としていることから、フィルタ掃引の回数の増加を抑制することができる。このように、本実施例によれば、フィルタ掃引の回数の増加を抑制しつつ、高い精度で各波長光を検出することができる。
【００３６】
なお、全てのフィルタ掃引において２以上のチャネルの波長光を検出対象とする必要はなく、少なくとも１回のフィルタ掃引において２以上のチャネルの波長光を検出対象とすればよい。例えば、波長λ１〜λ５に対して、１回目のフィルタ掃引で波長λ１，λ３を検出対象とし、２回目のフィルタ掃引で波長λ２，λ４を検出対象とし、３回目のフィルタ掃引で波長λ５を検出対象としてもよい。この場合においても、各回のフィルタ掃引において、一つの波長光のみを検出する場合と比較してフィルタ掃引の回数を抑制することができる。
【００３７】
また、全ての波長光の波長間隔を広げる必要はなく、少なくとも一部の波長光の波長間隔を広げることによって、波長光の検出精度を向上させることができる。例えば、波長λ１〜λ５について、波長λ４と波長λ５が上記の最小波長間隔Δλ以上の波長間隔を有しているとする。この場合、波長λ４および波長λ５を一度のフィルタ掃引の検出対象としてもよい。例えば、１回目のフィルタ掃引で波長λ１，λ３を検出対象とし、２回目のフィルタ掃引で波長λ２，λ４，λ５を検出対象としてもよい。
【００３８】
次に、複数のチャネルで同じ波長の波長光が出力されている場合について説明する。図６（ａ）は、ポート２に波長光を出力する光源１０から誤って波長λ１の波長光が出力されている例を表す図である。図６（ａ）を参照して、フィルタ掃引の際に波長λ１，λ３，λ５を検出対象とした際に、波長λ３が検出されないか、検出される光強度が小さくなる。この場合、光モニタ制御装置８０は、図６（ｂ）を参照して、スイッチ５０にポート２を選択させたまま、フィルタ掃引を実施する。それにより、ポート２に入力されている波長光の波長を探索することができる。図６（ｂ）の例では、波長λ１の波長光が検出される。
【００３９】
図７は、光モニタ制御装置８０の動作を表すフローチャートの他の例である。図７を参照して、ステップＳ２１〜ステップＳ２４は、図４のステップＳ１〜ステップＳ４と同じ処理である。ステップＳ２４の実行後、光モニタ制御装置８０は、検出レベルがしきい値以下のポートがあったか否かを判定する（ステップＳ２５）。ステップＳ２５で「Ｙｅｓ」と判定された場合、光モニタ制御装置８０は、スイッチ５０を、検出レベルがしきい値以下だったポートに切り替える（ステップＳ２６）。
【００４０】
次に、光モニタ制御装置８０は、フィルタ掃引を実施し、検出された波長光の中心波長を測定する（ステップＳ２７）。次に、光モニタ制御装置８０は、検出レベルがしきい値以下だったチャネルの光源１０の中心波長を、光伝送システム制御装置９０から受け取った波長になるように補正する（ステップＳ２８）。次に、光モニタ制御装置８０は、検出レベルがしきい値以下の未制御のポートがあるか否かを判定する（ステップＳ２９）。未制御のポートとは、ステップＳ２６〜Ｓ２８が実施されていないポートである。ステップＳ２９で「Ｙｅｓ」と判定された場合、ステップＳ２６から再度実行される。ステップＳ２９で「Ｎｏ」と判定された場合、光モニタ制御装置８０は、図４のステップＳ５〜Ｓ７と同じ処理のステップＳ３０〜Ｓ３２を実行する。図７のフローチャートは、全てのシーケンスが実行されると終了する。
【００４１】
このように、検出レベルがしきい値以下となるポートを選択した上でフィルタ掃引することによって、当該ポートの出力波長を探索することができる。したがって、当該出力波長を所望の波長に補正することが可能となる。
【００４２】
図８は、光モニタ制御装置８０のハードウェア構成を説明するためのブロック図である。図８を参照して、光モニタ制御装置８０は、ＣＰＵ１０１、ＲＡＭ１０２、記憶装置１０３、インタフェース１０４などを備える。これらの各機器は、バスなどによって接続されている。ＣＰＵ（Ｃｅｎｔｒａｌ  Ｐｒｏｃｅｓｓｉｎｇ  Ｕｎｉｔ）１０１は、中央演算処理装置である。ＣＰＵ１０１は、１以上のコアを含む。ＲＡＭ（Ｒａｎｄｏｍ  Ａｃｃｅｓｓ  Ｍｅｍｏｒｙ）１０２は、ＣＰＵ１０１が実行するプログラム、ＣＰＵ１０１が処理するデータなどを一時的に記憶する揮発性メモリである。記憶装置１０３は、不揮発性記憶装置である。記憶装置１０３として、例えば、ＲＯＭ（Ｒｅａｄ  Ｏｎｌｙ  Ｍｅｍｏｒｙ）、フラッシュメモリなどのソリッド・ステート・ドライブ（ＳＳＤ）、ハードディスクドライブに駆動されるハードディスクなどを用いることができる。ＣＰＵ１０１が所定のプログラムを実行することによって、光伝送システム１００内に光モニタ制御装置８０が実現される。なお、送信信号制御装置４０および光伝送システム制御装置９０も、ＣＰＵ１０１のプログラムの実行によって実現されてもよい。または、送信信号制御装置４０、光モニタ制御装置８０および光伝送システム制御装置９０は、専用の回路などのハードウェアであってもよい。
【００４３】
図９は、光伝送システムの他の例（光伝送システム１００ａ）を説明するための要部ブロック図である。図９を参照して、光伝送システム１００ａは、複数の合波器３０ａ，３０ｂを備える。合波器３０ａは、チャネル１〜チャネルＮの光源１０および光変調器２０からの波長光を合波して波長多重光を伝送し、合波器３０ｂは、チャネルＮ＋１〜チャネルＭの光源１０および光変調器２０からの波長光を合波して波長多重光を伝送する。このように、複数の合波器が設けられていてもよい。光伝送システム１００ａにおいても、一度のフィルタ掃引において、合波器３０ａ，３０ｂで得られる波長多重光の波長間隔よりも広い波長間隔で、各チャネルの波長光を検出対象とすることができる。
【００４４】
図１０は、光伝送システムの他の例（光伝送システム１００ｂ）を説明するための要部ブロック図である。図１０を参照して、光伝送システム１００ｂが図１の光伝送システム１００と異なる点は、合波器３０の代わりにマルチキャストスイッチ３０ｃが設けられている点である。
【００４５】
図１１（ａ）は、マルチキャストスイッチ３０ｃの詳細を説明するためのブロック図である。図１１（ａ）を参照して、マルチキャストスイッチ３０ｃは、Ｎチャネルに対してＭ個の出力ポートを備えている。また、マルチキャストスイッチ３０ｃは、Ｎ個の１：Ｍスイッチ３１を備えるとともに、Ｍ個の１：Ｎスプリッタ３２を備えている。各１：Ｍスイッチ３１は、各１：Ｎスプリッタ３２と接続されている。それにより、各１：Ｎスプリッタ３２は、所望の組み合わせのチャネルの波長光を合波して出力することができる。すなわち、各１：Ｎスプリッタ３２が合波器として機能する。この構成においては、Ｎチャネルの全ての光源１０が異なる波長を出力する必要はなく、複数の光源１０のうち少なくとも１つ以上が異なる波長光を出力すればよい。
【００４６】
図１１（ｂ）は、スイッチ５０のポート番号と、各チャネルとの関係を説明するための対応表である。図１１（ｂ）の例では、ポート番号３の波長とポート番号６の波長とが同じに設定されている。この例では、例えば、１回目のフィルタ掃引においてポート番号１，２，３が選択され、２回目のフィルタ掃引においてポート番号４，５が選択され、３回目のフィルタ掃引においてポート番号６が選択されてばよい。
【００４７】
なお、上記各例においては、波長光の波長の補正として光源１０を制御しているが、それに限られない。例えば、光変調器２０から出力される光信号の搬送波周波数を制御することによって、波長を補正してもよい。
【００４８】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００４９】
１０  光源
２０  光変調器
３０  合波器
４０  送信信号制御装置
５０  スイッチ
６０  波長可変フィルタ
７０  受光素子
８０  光モニタ制御装置
９０  光伝送システム制御装置
１００  光伝送システム
【図１】
2014078915.tif 000003
【図２】
2014078915.tif 000004
【図３】
2014078915.tif 000005
【図４】
2014078915.tif 000006
【図５】
2014078915.tif 000007
【図６】
2014078915.tif 000008
【図７】
2014078915.tif 000009
【図８】
2014078915.tif 000010
【図９】
2014078915.tif 000011
【図１０】
2014078915.tif 000012
【図１１】
2014078915.tif 000013